【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
第1の伝送時間間隔(TTI)の間のダウンリンクデータチャネル上で第1のデータを送信するステップと、
前記第1のTTIよりも持続時間が短い第2のTTIの間のダウンリンク制御チャネル上で制御情報を送信するステップであって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、ステップと
を含む、ワイヤレス通信の方法。
【請求項２】
前記第2のTTIの持続時間を有するTTIを利用して前記ダウンリンクデータチャネル上で第2のデータを送信するステップをさらに含む、請求項1に記載の方法。
【請求項３】
前記ダウンリンク制御チャネル上で制御情報を前記送信するステップ、および前記ダウンリンクデータチャネル上で第2のデータを前記送信するステップが同時に実行される、請求項2に記載の方法。
【請求項４】
前記ダウンリンク制御チャネル上の前記制御情報に従って、前記第2のデータにより前記第1のデータをパンクチャリングすることによって、前記ダウンリンクデータチャネル上で前記第2のデータを前記第1のデータと直交多重化するステップをさらに含む、請求項2に記載の方法。
【請求項５】
前記パンクチャリングに対応する失われたダウンリンクリソースの責任を負うために前記第1のデータを修正するステップをさらに含む、請求項4に記載の方法。
【請求項６】
前記第1のデータおよび前記第2のデータを同時に送信することによって、前記ダウンリンクデータチャネル上で前記第2のデータを前記第1のデータと非直交多重化するステップをさらに含む、請求項2に記載の方法。
【請求項７】
ダウンリンク割当てチャネル上でリソース割当てを送信するステップであって、前記リソース割当てが、前記第1のデータに対応する時間周波数リソースの前記認可を含む、ステップ
をさらに含む、請求項1に記載の方法。
【請求項８】
前記ダウンリンクデータチャネルが、前記ダウンリンク制御チャネルと周波数が分離されている、請求項1に記載の方法。
【請求項９】
第1の伝送時間間隔(TTI)の間のアップリンクデータチャネル上で第1のデータを受信するステップと、
アップリンクフィードバックチャネル上でスケジューリング要求を受信するステップであって、前記スケジューリング要求が、第2のデータ用の時間周波数リソースの認可を要求するように構成される、ステップと、
前記第1のTTIよりも持続時間が短い第2のTTIの間のダウンリンク制御チャネル上で制御情報を送信するステップであって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、ステップと、
前記第1のTTIよりも持続時間が短い第3のTTIの間の前記アップリンクデータチャネル上で前記第2のデータを受信するステップと
を含む、ワイヤレス通信の方法。
【請求項１０】
ダウンリンク割当てチャネル上でリソース割当てを送信するステップであって、前記リソース割当てが、前記第1のデータに対応する前記アップリンクデータチャネル上の時間周波数リソースに対する第1のデータ認可を含む、ステップと、
前記第2のTTIの持続時間を有するTTIを利用してアップリンク認可修正を送信するステップであって、前記アップリンク認可修正が、前記第1のデータ認可が修正されたことを少なくとも1つのユーザ機器(UE)に通知し、前記第2のデータのタイミングに従って前記第1のデータの送信をパンクチャリングするように前記少なくとも1つのUEに命令する情報を含む、ステップと
をさらに含む、請求項9に記載の方法。
【請求項１１】
前記アップリンク認可修正を前記送信するステップ、および前記ダウンリンク制御チャネル上で前記制御情報を前記送信するステップが同時に実行される、請求項10に記載の方法。
【請求項１２】
前記アップリンク認可修正を前記送信するステップが、前記ダウンリンク制御チャネル上で前記アップリンク認可修正を送信するステップを含む、請求項10に記載の方法。
【請求項１３】
前記アップリンクフィードバックチャネル、前記アップリンクデータチャネル、および前記ダウンリンク制御チャネルが、互いに周波数が分離されている、請求項9に記載の方法。
【請求項１４】
第1の伝送時間間隔(TTI)の間のダウンリンクデータチャネル上で第1のデータを送信するための手段と、
前記第1のTTIよりも持続時間が短い第2のTTIの間のダウンリンク制御チャネル上で制御情報を送信するための手段であって、前記制御情報が、前記第1のTTIの間の前記ダウンリンクデータチャネル上で受信された前記第1のデータ用の時間周波数リソースの認可の割振りを修正するように構成された認可修正を含み、前記第2のTTIが、前記第1のTTIの一部分と重複する、手段と
を備える、ワイヤレス通信用に構成された装置。
【請求項１５】
第1の伝送時間間隔(TTI)の間のアップリンクデータチャネル上で第1のデータを受信するための手段と、
アップリンクフィードバックチャネル上でスケジューリング要求を受信するための手段であって、前記スケジューリング要求が、第2のデータ用の時間周波数リソースの認可を要求するように構成される、手段と、
前記第1のTTIよりも持続時間が短い第2のTTIの間のダウンリンク制御チャネル上で制御情報を送信するための手段であって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、手段と、
前記第1のTTIよりも持続時間が短い第3のTTIの間の前記アップリンクデータチャネル上で前記第2のデータを受信するための手段と
を備える、ワイヤレス通信用に構成された装置。
【請求項１６】
コンピュータによって実行されると、コンピュータに、
第1の伝送時間間隔(TTI)の間のダウンリンクデータチャネル上で第1のデータを送信することと、
前記第1のTTIよりも持続時間が短い第2のTTIの間のダウンリンク制御チャネル上で制御情報を送信することであって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、ことと
を行わせる命令を備える、コンピュータ実行可能コードを備えるコンピュータ可読記憶媒体。
【請求項１７】
コンピュータによって実行されると、コンピュータに、
第1の伝送時間間隔(TTI)の間のアップリンクデータチャネル上で第1のデータを受信することと、
アップリンクフィードバックチャネル上でスケジューリング要求を受信することであって、前記スケジューリング要求が、第2のデータ用の時間周波数リソースの認可を要求するように構成される、ことと、
前記第1のTTIよりも持続時間が短い第2のTTIの間のダウンリンク制御チャネル上で制御情報を送信することであって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、ことと、
前記第1のTTIよりも持続時間が短い第3のTTIの間の前記アップリンクデータチャネル上で前記第2のデータを受信することと
を行わせる命令を備える、コンピュータ実行可能コードを備えるコンピュータ可読記憶媒体。
【請求項１８】
第1の伝送時間間隔(TTI)の間のダウンリンクデータチャネル上で第1のデータを受信するステップと、
前記第1のTTIよりも持続時間が短い第2のTTIの間のダウンリンク制御チャネル上で制御情報を受信するステップであって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、ステップと
を含む、ユーザ機器(UE)におけるワイヤレス通信の方法。
【請求項１９】
第1の伝送時間間隔(TTI)の間のアップリンクデータチャネル上で第1のデータを送信するステップと、
アップリンクフィードバックチャネル上でスケジューリング要求を送信するステップであって、前記スケジューリング要求が、第2のデータ用の時間周波数リソースの認可を要求するように構成される、ステップと、
前記第1のTTIよりも持続時間が短い第2のTTIの間のダウンリンク制御チャネル上で制御情報を受信するステップであって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、ステップと、
前記第1のTTIよりも持続時間が短い第3のTTIの間の前記アップリンクデータチャネル上で前記第2のデータを送信するステップと
を含む、ユーザ機器(UE)におけるワイヤレス通信の方法。
【請求項２０】
第1の伝送時間間隔(TTI)の間のダウンリンクデータチャネル上で第1のデータを受信するための手段と、
前記第1のTTIよりも持続時間が短い第2のTTIの間のダウンリンク制御チャネル上で制御情報を受信するための手段であって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、手段と
を備える、ワイヤレス通信用に構成されたユーザ機器。
【請求項２１】
第1の伝送時間間隔(TTI)の間のアップリンクデータチャネル上で第1のデータを送信するための手段と、
アップリンクフィードバックチャネル上でスケジューリング要求を送信するための手段であって、前記スケジューリング要求が、第2のデータ用の時間周波数リソースの認可を要求するように構成される、手段と、
前記第1のTTIよりも持続時間が短い第2のTTIの間のダウンリンク制御チャネル上で制御情報を受信するための手段であって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、手段と、
前記第1のTTIよりも持続時間が短い第3のTTIの間の前記アップリンクデータチャネル上で前記第2のデータを送信するための手段と
を備える、ワイヤレス通信用に構成されたユーザ機器。